(57)【要約】【課題】  光源用ランプ起動時の画面の明るさが向上し、ユーザが画面表示を確認できるまでの時間を短縮することができる投写型映像表示装置を提供する。【解決手段】  光源用ランプ４からの光を映像信号に基づき変調して投写することにより映像を表示する投写型映像表示装置において、前記光源用ランプ４の起動時における明るさの上昇カーブに対して、入力映像信号SIG_INの明るさを逆補正するようにランプ起動時における映像信号の明るさを調整する明るさ調整回路７を備えた。【選択図】        図１
2007264394.tif 000002
【特許請求の範囲】
【請求項１】
光源用ランプからの光を映像信号に基づき変調して投写することにより映像を表示する投写型映像表示装置において、
前記光源用ランプの起動時における明るさの上昇カーブに対して、入力映像信号の明るさを逆補正するようにランプ起動時における映像信号の明るさを調整する明るさ調整手段を備えたことを特徴とする投写型映像表示装置。
【請求項２】
前記明るさ調整手段は、ランプ起動開始時からの経過時間を管理し、この経過時間に応じて映像信号の明るさ補正レベルを漸次低減することを特徴とする請求項１記載の投写型映像表示装置。
【請求項３】
前記光源用ランプの温度を検出する温度センサと、この温度センサによって検出されたランプ起動開始時のランプ温度に応じて前記明るさ調整手段による明るさ調整度合を制御する制御手段とを備えたことを特徴とする請求項１又は請求項２記載の投写型映像表示装置。
【請求項４】
前記光源用ランプの近傍に配置された第１の温度センサと、外気温度を検出する第２の温度センサとを備え、前記制御手段は、前記第１の温度センサによる検出温度から前記第２の温度センサによる検出温度を差し引いた値が大きいほどランプ温度が高いと判断して前記明るさ調整手段による明るさ調整度合を制御することを特徴とする請求項３記載の投写型映像表示装置。 
【発明の詳細な説明】
【技術分野】
【０００１】
本願発明は、液晶プロジェクションテレビ等の投写型映像表示装置に関するものである。
【背景技術】
【０００２】
この種の従来装置の簡略構成図を図５に示す。同図は、本願に係るシステム構成を説明するための簡略構成図であるため、色分離系や色合成系の光学部品などは省略し、液晶パネルに関しても一枚のみ図示している。
【０００３】
図５において、液晶パネル１は、入力映像信号SIG_INをマイクロコンピュータ２により制御される映像信号処理回路３でパネル駆動用に信号処理したパネル制御信号SIG_OUTで駆動される。この液晶パネル１により、光源用ランプ４より発せられた光が映像信号に基づき変調されて透過し、投写レンズ５によりスクリーン６に拡大投写されて映像として表示される。
【０００４】
上記入力映像信号SIG_INとパネル制御信号SIG_OUTとの明るさ（Ｙ）の関連は、次の（式１）に表されるように、明るさに関わる特別な補正は施されていない。
Ｙ(SIG_OUT)＝Ｙ(SIG_IN)            ・・・  （式１）
【０００５】
一般的に、この種の光源用ランプにおける起動時の照度変化は図６に示されるような軌跡をたどる。このよう光源用ランプを有する表示装置に、一定の明るさレベルの入力映像信号SIG_INを入力している場合に得られる起動時の画面照度は、ランプの照度変化とほぼ一致するため図７に示されるような軌跡をたどることになる。つまり、一定の明るさレベル，例えば５０％白画面などを表示した状態で起動すると、その画面照度変化はランプの明るさ変化とほぼ同じカーブになる。
【０００６】
なお、特許文献１には、放電ランプのＡＣ駆動時におけるランプ駆動電流の立上がりおよび立下がりを極力小さくし、放電ランプの光量の明暗の発生を抑制したランプ点灯装置及びこれを用いたプロジェクタが開示されている。
【特許文献１】特開２００３−２８２２８５号公報（H05B 41/18）
【発明の開示】
【発明が解決しようとする課題】
【０００７】
ところで、一般的に、直視型液晶テレビやプラズマディスプレイに比べ、ＵＨＰランプなどの放電型ランプを使用する液晶プロジェクションテレビ等の投写型映像表示装置では、光源用ランプの照度の立ち上がりが緩やかで、画面表示をユーザが確認できるまでの時間が遅いとされている。
【０００８】
なお、前記特許文献１の技術は、放電ランプ起動後のＡＣ駆動時においてランプ自体を制御する技術であるため、ランプ起動時の上述した課題を解決することはできない。
【０００９】
そこで、本願発明はこのような課題を解決するためになされたものであり、光源用ランプ起動時の画面の明るさが向上し、ユーザが画面表示を確認できるまでの時間を短縮することができる投写型映像表示装置を提供することを目的とするものである。
【課題を解決するための手段】
【００１０】
上記のような目的を達成するために、本願の請求項１に係る発明は、光源用ランプからの光を映像信号に基づき変調して投写することにより映像を表示する投写型映像表示装置において、前記光源用ランプの起動時における明るさの上昇カーブに対して、入力映像信号の明るさを逆補正するようにランプ起動時における映像信号の明るさを調整する明るさ調整手段を備えたことを特徴とするものである。
【００１１】
請求項２に係る発明は、前記明るさ調整手段が、ランプ起動開始時からの経過時間を管理し、この経過時間に応じて映像信号の明るさ補正レベルを漸次低減することを特徴とするものである。
【００１２】
請求項３に係る発明は、前記光源用ランプの温度を検出する温度センサと、この温度センサによって検出されたランプ起動開始時のランプ温度に応じて前記明るさ調整手段による明るさ調整度合を制御する制御手段とを備えたことを特徴とするものである。
【００１３】
請求項４に係る発明は、前記光源用ランプの近傍に配置された第１の温度センサと、外気温度を検出する第２の温度センサとを備え、前記制御手段は、前記第１の温度センサによる検出温度から前記第２の温度センサによる検出温度を差し引いた値が大きいほどランプ温度が高いと判断して前記明るさ調整手段による明るさ調整度合を制御することを特徴とするものである。
【発明の効果】
【００１４】
本願の請求項１記載の発明によれば、光源用ランプの起動時における明るさの上昇カーブに対して、入力映像信号の明るさを逆補正するようにランプ起動時における映像信号の明るさを調整することにより、光源用ランプ起動時の画面の明るさが向上し、ユーザが画面表示を確認できるまでの時間を短縮することができる。
【００１５】
請求項２記載の発明によれば、ランプ起動開始時からの経過時間に応じて映像信号の明るさ補正レベルを漸次低減することにより、ランプ起動開始時からの経過時間に応じて明るさ補正レベルが徐々に低減するので、映像信号の明るさを補正しても違和感を生じることはない。
【００１６】
請求項３記載の発明によれば、温度センサによって検出されたランプ起動開始時のランプ温度に応じて明るさ調整手段による明るさ調整度合（補正係数）を制御することにより、ランプ起動時のランプ温度に応じた違和感のない明るさ調整を行うことができる。
【００１７】
請求項４記載の発明によれば、光源用ランプの近傍に配置された第１の温度センサによる検出温度から外気温度を検出する第２の温度センサによる検出温度を差し引いた値が大きいほどランプ温度が高いと判断して、明るさ調整手段による明るさ調整度合を制御することにより、光源用ランプの近傍の温度は外気温度の影響を少なからず受けるので、ランプ温度をより精度良く認識して明るさ調整手段による明るさ調整度合をより正確に制御することができる。
【発明を実施するための最良の形態】
【００１８】
以下、本願発明の実施形態を図面を参照して詳細に説明する。
【００１９】
図１は、本願発明の一実施形態として液晶プロジェクションテレビ等の投写型映像表示装置を示す簡略構成図であり、前記図５と同一符号は同一又は相当部分を示している。
【００２０】
図１において、映像を表示するまでの基本構成及び動作は図５に示した従来技術とほぼ同様である。すなわち、液晶パネル１は、入力映像信号SIG_INをマイクロコンピュータ２により制御される映像信号処理回路３でパネル駆動用に信号処理したパネル制御信号SIG_OUT'で駆動される。この液晶パネル１により、光源用ランプ４より発せられた光が映像信号に基づき変調されて透過し、投写レンズ５によりスクリーン６に拡大投写されて映像として表示される。
【００２１】
図５に示した従来技術と異なる点は、ランプ起動時の明るさを補うために、例えば次の（式２）に従い映像信号の明るさ（Ｙ）を補正することができる明るさ調整回路７を映像信号処理回路３に有していると共に、本装置の筐体内にあって光源用ランプ４の近傍の温度を検出する第１の温度センサ８と、筐体外の外気温度を検出する第２の温度センサ９を有しており、それらはマイクロコンピュータ２に接続されている。
Ｙ(SIG_OUT')＝Ｙ(SIG_IN)＋Ｙ(SIG_IN)×(補正係数Ｋ−(補正係数Ｋ／補正継続時間 ｔ(秒))×経過時間ｎ)×０．０１            ・・・  （式２）
ただし、補正は１秒毎に行うものとし、ｔ秒後以降は補正を行わないものとする。
【００２２】
これにより、入力された映像信号SIG_INには、明るさ（Ｙ）に関して補正継続時間ｔ(秒)の間だけ補正係数Ｋにより設定されるオフセット分が加算され、パネル制御信号SIG_OUT'として液晶パネル１へ出力されることになる。また、補正量は補正毎に減少し、ｔ秒後以降には入力映像信号の明るさレベルは補正されることなく出力される。
【００２３】
次に具体的な例を示す。なお、ここでは、各パラメータとして下記の値をとるものとする。
≪補正なしのとき≫
Ｙ(SIG_IN)＝５１２（１０ビットのデジタル値でセンターの値）で一定
補正係数K＝０(補正なし)、補正継続時間ｔ(秒)＝６０
≪補正ありのとき≫
Ｙ(SIG_IN)＝５１２（１０ビットのデジタル値でセンターの値）で一定
補正係数K＝２５(補正あり)、補正継続時間ｔ(秒)＝６０
【００２４】
補正ありのとき、点灯（ランプ起動開始）１秒後の補正１回目のＹ(SIG_OUP')の値は下記の式で計算される。
Ｙ(SIG_OUT')＝５１２＋５１２×(２５−(２５／６０)×１)×０．０１
＝６３７．９
２回目は、
Ｙ(SIG_OUT')＝５１２＋５１２×(２５−(２５／６０)×２)×０．０１
＝６３５．７
６０回目は、
Ｙ(SIG_OUT')＝５１２＋５１２×(２５−(２５／６０)×６０)×０．０１
＝５１２
【００２５】
補正しない場合と、上記のようにして補正した場合のパネル制御信号SIG_OUP'の明るさレベルを表にしたものが図２である。
【００２６】
このように、点灯直後の一定期間、映像信号に補正をかけることにより、画面の実際（補正あり）の明るさには本来（補正なし）の明るさにオフセットがかかり、図３に示すような軌跡をたどるようになる。これは点灯後の一定期間の明るさが明るい方向に移動していることを意味している。
【００２７】
従って、光源用ランプ起動時の画面の明るさが向上し、ユーザが画面表示を確認できるまでの時間を短縮することができる。また、ランプ起動開始時からの経過時間に応じて映像信号の明るさ補正レベルを漸次低減することにより、ランプ起動開始時からの経過時間に応じて明るさ補正レベルが徐々に低減するので、映像信号の明るさを補正しても違和感を生じることはない。
【００２８】
一方、点灯時（ランプ起動時）のランプ照度の明るさ変化は、ランプ４が常温の時と高温の時では異なる変化を示し、一般的に高温時には照度の上昇が早くなる（図４参照）。従って、ランプ４が常温の時と高温の時とで同じ補正係数Kを使用すると、高温時の明るさが明るくなりすぎ、違和感のある映像になる。このため、本実施形態では、例えば常温時はK=２５、高温時はK=１５といったように補正係数Kに異なる値を用いることで、これを補っている。このように、ランプ起動開始時のランプ温度に応じて明るさ調整回路７による明るさ調整度合（補正係数Ｋ）を制御することにより、ランプ起動時のランプ温度に応じた違和感のない明るさ調整を行うことができる。
【００２９】
具体的には、点灯（ランプ起動開始）時におけるランプの温度状態は、ランプ近傍に配置された第１の温度センサ８と、外気温度検出用の第２の温度センサ９との差分により推測するものとし、差が大きいほどランプ温度が高いとマイクロコンピュータ（制御手段）により判断させる。すなわち、第１の温度センサ８がTemp1、第２の温度センサ９がTemp2を示すときの差分Δｔ=Templ−Temp2とした場合、差分Δｔと補正係数Kの値を予めテーブル値としてマイクロコンピュータ２の不揮発性メモリに記憶しておくことにより、差分Δｔに基づき予め用意されたテーブル値から補正係数Kの値を容易に求めることができる。
【００３０】
このようにすることにより、光源用ランプ４の近傍の温度は外気温度の影響を少なからず受けるので、ランプ温度をより精度良く認識して明るさ調整回路７による明るさ調整度合（補正係数Ｋ）をより正確に制御することができる。
【００３１】
なお、本願発明の投写型映像表示装置としては、液晶パネルを用いた液晶プロジェクションテレビに限らず、他の映像光生成系を備える投写型映像表示装置においても本願発明を適用することができる。すなわち、背面投写型の他、前面投写型映像表示装置においても本願発明を適用することができる。また、ＤＬＰ（Digital Light Processing；テキサス・インスツルメンツ（TI）社の登録商標）方式のものにも本願発明を適用することができる。
【図面の簡単な説明】
【００３２】
【図１】本願発明の一実施形態として液晶プロジェクションテレビ等の投写型映像表示装置を示す簡略構成図。
【図２】補正なしの場合と補正ありの場合のパネル制御信号の明るさレベルを表にして示した図。
【図３】補正なしの場合と補正ありの場合のランプ照度遷移をグラフ化して示した図。
【図４】ランプ照度の温度依存（ランプ温度が常温の時と高温の時）をグラフ化して示した図。
【図５】従来装置の簡略構成図。
【図６】ランプ起動時のランプ照度遷移をグラフ化して示した図。
【図７】ランプ起動時の画面照度遷移をグラフ化して示した図。
【符号の説明】
【００３３】
１  液晶パネル
２  マイクロコンピュータ
３  映像信号処理回路
４  光源用ランプ
５  投写レンズ
６  スクリーン
７  明るさ調整回路
８  第１の温度センサ
９  第２の温度センサ
【図１】
2007264394.tif 000003
【図２】
2007264394.tif 000004
【図３】
2007264394.tif 000005
【図４】
2007264394.tif 000006
【図５】
2007264394.tif 000007
【図６】
2007264394.tif 000008
【図７】
2007264394.tif 000009